(57)【要約】【課題】  数多くの突起によって手のつぼを刺激し、健康の維持・増進、ひいては若返りに貢献すること。【解決手段】  杖のグリップカバーの表面に数多くの突起を設けたことにより、この課題を解決する。【選択図】    図３
2006055580.tif 000002
【特許請求の範囲】
【請求項１】
杖を握って保持するための杖のグリップ部分に、被せて使用する杖のグリップカバーであって、当該グリップカバーは、前記杖のグリップ部分の表面の一部または全部に被せて使用するグリップカバーであり、当該グリップカバーの一方の面には、複数の突起を有しており、前記複数の突起を有する一方の面を表面として、当該グリップカバーを前記杖のグリップ部分に被せた状態において、当該グリップカバーを当該杖のグリップ部分に着脱するための着脱手段を有すること、を特徴とする杖のグリップカバー。
【請求項２】
前記グリップカバーに固定された輪状紐を、更に備えていること、を特徴とする請求項１記載の杖のグリップカバー。
【発明の詳細な説明】
【技術分野】
【０００１】  本発明は、杖のグリップカバーに関するものであり、グリップカバーの表面に数多くの突起を設けたことによって、その突起が手の各種のつぼを刺激し健康の維持・増進、ひいては若返りに貢献するようにしたものである。また、輪状紐をつけることによって、杖を使用しているときに誤って杖を落下させることを防ぐこともできるものである。
【背景技術】
【０００２】  従来から、杖自体に突起物を付けるというアイデアはあった。この例として、特許文献１及び２に開示されているものがある。
【特許文献１】        特開平７−１１１９０８
【特許文献２】        実開平６−２９４２１
【発明の開示】
【発明が解決しようとする課題】
【０００３】  しかし、従来のように杖自体に突起物を付ける場合は、体調が悪い日や気分がのらない日は、突起物がついていない別の杖を使わなくてはならない。【０００４】  また、杖自体に突起物を付ける場合は、突起物の握り具合が使用者に合わない場合、杖自体を変更する必要がある。【０００５】  本発明は、このような不都合を解決することを課題とする。
【課題を解決するための手段】
【０００６】  この課題を解決するための請求項１の発明は、杖を握って保持するための杖のグリップ部分に、被せて使用する杖のグリップカバーである。そして、当該グリップカバーは、前記杖のグリップ部分の表面の一部または全部に被せて使用するグリップカバーである。また、当該グリップカバーの一方の面には、複数の突起を有している。さらに、前記複数の突起を有する一方の面を表面として、当該グリップカバーを前記杖のグリップ部分に被せた状態において、当該グリップカバーを当該杖のグリップ部分に着脱するための着脱手段を、当該グリップカバーは有している。【０００７】  本発明に係る杖のグリップカバーを、杖のグリップ部分に被せて使用することにより、表面の突起が使用者の手の各種つぼを刺激し、健康の維持・増進、ひいては若返りに貢献するのである。また、当該杖のグリップカバーは、杖のグリップ部分に着脱するための着脱手段を有しているため、使用者が強い力で握らずとも、グリップカバーを杖のグリップ部分に固定させることができる。これは、握力の衰えた高齢者にとって、非常に有益である。さらに、当該杖のグリップカバーは、杖のグリップ部分に着脱するための着脱手段を有しているため、使用しない場合は杖からグリップカバーをはずすことができる。これにより、様々な種類の杖に、お気に入りのグリップカバーを使用することができるのである。【０００８】  また、請求項２の発明は、前記グリップカバーに固定された輪状紐を、更に備えていること、を特徴とする請求項１記載の杖のグリップカバーである。【０００９】  本発明に係る杖のグリップカバーを、杖のグリップ部分に被せて着脱手段により固定し、グリップカバーに固定された輪状紐を使用者の手首に引っ掛ける。このようにして、当該グリップカバーを使用することにより、杖を使用しているときに誤って杖を落下させることを防ぐこともできる。これもやはり、握力の衰えた高齢者にとって非常に有益である。
【発明の効果】
【００１０】  本発明のグリップカバーをつけた杖を使用すると、数多くの突起が手の各種のつぼを刺激し健康の維持・増進、ひいては若返りに貢献することができる。また、このグリップカバーは、取り外しが自由なのでその日の気分によって着脱が可能である。
【発明を実施するための最良の形態】
【００１１】  図１は、本発明に係る杖のグリップカバー（１）の平面図である。【００１２】  同図に示すように、当該グリップカバー（１）は、一方の面に複数の突起（２）を有している。そして、当該複数の突起（２）を有する一方の面の各四隅に、面ファスナー（４）を有している。この面ファスナー（４）は、複数の突起（２）を有する一方の面を表面として、グリップカバー（１）を杖のグリップ部分に被せた状態において、グリップカバー（１）を当該杖のグリップ部分に着脱するための着脱手段である。この面ファスナー（４）のグリップカバー（１）への固定方法は、粘りつけたり縫いつける等がある。【００１３】  また、このグリップカバー（１）は、当該グリップカバー（１）に固定された輪状紐（３）を、更に備えている。この輪状紐（３）の固定の方法は、当業者が取りえる様々な方法があるが、例えば、図１のようにグリップカバー（１）に穴を開けて、そこに輪状紐（３）を通す方法がある。【００１４】  図２は、グリップカバー（１）の側面図である。【００１５】  同図に示すように、当該グリップカバー（１）は、複数の突起（２）を有する面の反対面にも、面ファスナー（４）を有している。この突起（２）を有する面の反対面の面ファスナー（４）は、図１に図示した突起（２）を有する面の面ファスナー（４）の裏側に存在する。すなわち、突起（２）を有する面の反対面の面ファスナー（４）も、当該面の各四隅に存在するのである。そして、突起（２）を有する面の面ファスナー（４）と、突起（２）を有する面の反対面の面ファスナー（４）とを、着脱することによって、杖のグリップ部分に被せて固定することができる。【００１６】  図３は、グリップカバー（１）の使用図である。【００１７】  このように、複数の突起（２）を有する一方の面を表面として、グリップカバー（１）を杖のグリップ部分に被せた状態において、面ファスナー（４）によりグリップカバー（１）を杖のグリップ部分に固定することができる。【００１８】  そして、杖のグリップ部分に固定された状態で、グリップカバー（１）を使用者（例えば、高齢者など）が手で握り、杖を使用するのである。そうすると、グリップカバー（１）の複数の突起（２）が使用者の手の各種つぼを刺激し、健康の維持・増進、ひいては若返りに貢献するのである。また、使用者がグリップカバー（１）を使用したくないときは、面ファスナー（４）によりグリップカバー（１）を杖から外すことができる。さらに、様々な種類の杖に、お気に入りのグリップカバー（１）を着けて使用することもできる。【００１９】  また、グリップカバー（１）に固定された輪状紐（３）を、使用者の手首に引っ掛けて使用することにより、杖を使用しているときに手元を誤って杖を落下させることを防ぐことができる。【００２０】  グリップカバー（１）本体の材料としては、例えば、シリコンゴム等の各種のゴムが考えられる。しかし、ゴム以外にも、杖のグリップ部分に被せるために折り曲げたりできる適度な柔軟性と、複数の突起（２）が手のつぼを刺激するための適度な硬度を有していれば、他の材料でもかまわない。グリップカバー（１）の本体の大きさは、通常の杖のグリップ部分の面積を考慮して、任意���決定すればよい。この場合、グリップカバー（１）本体の大きさ（面積）が、通常の杖のグリップ部分の面積（表面積）以上である必要は必ずしもなく、グリップカバー（１）を握った際に手の一部のつぼに刺激を与えるような大きさにしてもよい。また、グリップカバー（１）の一方の面に存在する複数の突起（２）は、人間の手に存在する所定のつぼ位置を考慮して、効果的だと思われる位置を任意に定めて配置すればよい。【００２１】  また、本発明に係る杖のグリップカバー（１）は、その他にも以下の特徴がある。【００２２】  １、グリップカバー（１）は、手のひら程度の大きさであるため、持ち運びに便利である。２、グリップカバー（１）は杖から着脱することができるため、洗濯でき、清潔を保てる。試作品では、シリコンゴムを使用している。３、グリップカバー（１）の大きさを、手の大きさと同等、またはそれ以上にした場合、手の全体を刺激できる。４、グリップカバー（１）の厚さを薄くすれば、杖のグリップ部分を握った時の握りの太さがさほど変わらず、違和感がない。５、グリップカバー（１）の色を、花柄や幾何学模様などのように適宜変更することにより、おしゃれを楽しめる。
【産業上の利用可能性】
【００２３】  本発明に係る杖のグリップカバーは、工業的に量産する事が可能であるため、産業上の利用可能性を有する。
【図面の簡単な説明】
【００２４】
【図１】  本発明に係る杖のグリップカバーの平面図である。
【図２】  本発明に係る杖のグリップカバーの側面図である。
【図３】  本発明に係る杖のグリップカバーの使用図である。
【符号の説明】
【００２５】  １    杖のグリップカバー
２    突起
３    輪状紐
４    面ファスナー
【図１】
2006055580.tif 000003
【図２】
2006055580.tif 000004
【図３】
2006055580.tif 000005